(57)【要約】    【課題】  マットレス使用者の体格及び体型等の各人の特徴に合わせて最適なクッション性を有するマットレスを製造することができ、使用者各人に容易にカスタマイズすることができ、使用者に確実に良質の睡眠をもたらすことができるマットレスの製造方法を提供する。    【解決手段】  マットレス上に寝たときの体圧分布を測定し、マットレスの圧力−たわみ特性から、肩部及び臀部の最大沈み込み量を測定し、腰部の最小沈み込み量を測定する。この肩部及び臀部の最大沈み込み量から寝姿勢における体の傾きを求め、肩部及び臀部の最大沈み込み量と、腰部の最小沈み込み量から、腰部のランバー深さを求める。そして、体の傾き、ランバー深さ及び最大圧力を基に、マットレス構成を変更して、最適な寝心地が得られるマットレスを設計する。【選択図】  図１
2005000641.tif 000002
【特許請求の範囲】
【請求項１】
ボトムレイヤー上に配列された複数個の分割ミドルレイヤーと、これらの分割ミドルレイヤー上からその全体を嵌合するトップレイヤーと、このトップレイヤー上に設けられ圧力の面内分布を測定するセンサとを有する試験マットレス上に、マットレス使用予定者を寝かせて前記センサにより圧力分布を測定する工程と、この測定結果に基づき前記マットレス使用予定者の体圧分布とマットレスの沈み込み形状からなる体圧分散性を求め、この体圧分散性が適正範囲ではない場合に、前記分割ミドルレイヤーのうち１又は複数個の分割ミドルレイヤーを硬さが異なるものに変更して再度圧力分布を測定する工程と、を有し、前記体圧分散性が適正範囲に入るまで前記再度圧力分布を測定する工程を繰り返して適正な分割ミドルレイヤーの組み合わせを求め、これにより前記マットレス使用予定者にカスタマイズされたマットレスを製造することを特徴とするマットレスの製造方法。
【請求項２】
前記分割ミドルレイヤーは、少なくとも、前記試験マットレス上に寝たマットレス使用予定者の肩部、腰部及び臀部に夫々独立して配置されるものであることを特徴とする請求項１に記載のマットレスの製造方法。
【請求項３】
前記体圧分散性の適正範囲は、体にかかる最大圧力が５０ｍｍＨｇ以下であること、ランバー深さが１３乃至３０ｍｍであること、及び肩部の沈み込み量が臀部の沈み込み量以下であることの３条件を満足することであることを特徴とする請求項２に記載のマットレスの製造方法。
【請求項４】
前記体圧分散性は、前記圧力分布の測定結果を最大沈み込み量又は最小沈み込み量に変換したものを判断基準の一つとし、前記圧力から沈み込み量への変換は、直径がＤ１，Ｄ２、Ｄ３（Ｄ１＜Ｄ２＜Ｄ３）の３種類の大きさの加圧円板により各分割ミドルレイヤーを加圧して、夫々圧力−たわみ特性を求めておき、前記圧力分布の測定結果から、直径がＤ１、Ｄ２、Ｄ３の同心円領域における最小円内の第１領域内の圧力Ｐ１、中間円から最小円を除いたリング状の第２領域内の圧力Ｐ２、最大円から中間円を除いたリング状の第３領域内の圧力Ｐ３を求め、前記圧力分布を測定した分割ミドルレイヤーについてのＤ１乃至Ｄ３の加圧円板により求めた圧力−たわみ特性曲線から夫々圧力Ｐ１乃至Ｐ３に対応する沈み込み量Ｘ１乃至Ｘ３を求め、前記最大沈み込み量はＸ１＋Ｘ２＋Ｘ３とし、最小沈み込み量はＸ３−Ｘ２−Ｘ１とするものであり、肩部及び臀部の沈み込み量は最大沈み込み量、腰部の沈み込み量は最小沈み込み量により判断することを特徴とする請求項２に記載のマットレスの製造方法。
【請求項５】
前記体圧分散性が適正範囲に入った後、前記マットレス使用予定者の好みに応じて前記分割ミドルレイヤーの硬さを変更して、体圧分散性を再確認することを特徴とする請求項１乃至４のいずれか１項に記載のマットレスの製造方法。
【請求項６】
マットレスの表面上に圧力の面内分布を測定するセンサを配置し、その上にマットレス使用予定者を寝かせて前記センサにより圧力分布を測定する工程と、この測定結果に基づき前記マットレス使用予定者の体圧分布とマットレスの沈み込み形状からなる体圧分散性を求め、この体圧分散性が適正であるか否かを評価する工程とを有し、この体圧分散性が適正範囲に入るまで、前記圧力分布の測定及び体圧分散性の評価を繰り返し、前記マットレス使用予定者にとって適切なマットレスを選定することを特徴とするマットレスの製造方法。
【発明の詳細な説明】
【技術分野】
【０００１】
本発明は、マットレスの長手方向に複数個の分割ミドルレイヤーを配置したマットレスの製造方法に関し、特に、マットレス使用者毎にカスタマイズできるマットレスの製造方法に関する。
【背景技術】
【０００２】
図１０は従来のマットレスの構造を示す断面図である。ボトム層１の上に、中間層として、マットレスの長手方向に複数個（図示例は７個）の分割ミドルレイヤー２ａ乃至２ｇが配列されており、これらのボトム層１及び分割ミドルレイヤー２ａ乃至２ｇを上方から嵌合するように、底なし箱状のトップ層３が設けられている。これにより、ボトム層１上に、分割ミドルレイヤー２ａ乃至２ｇが載置され、更にこれらを取り囲むように最上層にトップ層３が設けられ、トップ層３に囲まれた空間内に分割ミドルレイヤー２ａ乃至２ｇとボトム層１が収納されている。
【０００３】
分割ミドルレイヤー２ａ乃至２ｇは、夫々、頭部、肩部、腰部、臀部、上腿部、下腿部及び踵部に相当するマットレスであり、例えば、ウレタンフォームにより成形されていて、硬さは、例えば、「硬い」、「普通」、「軟らかい」の３種からなる。そして、例えば、頭部及び肩部は「硬い」もの、腰部は「普通」の硬さのもの、臀部は「軟らかい」もの、上腿部は「硬い」もの、下腿部は「普通」の硬さのもの、踵部は「軟らかい」ものが使用される。
【０００４】
【特許文献１】特開２００２−７８５６９
【発明の開示】
【発明が解決しようとする課題】
【０００５】
上述のように、従来のマットレスにおいては、「硬い」、「普通」、「軟らかい」分割ミドルレイヤーが標準的に組み合わされてクッション性を担う中間層が構成されているが、使用者の身長及び体重のような体格又は体型により、必ずしもこの標準的な組み合わせでは、快適なクッション性を得ることができない場合が多い。
【０００６】
良質な睡眠を得るためには、睡眠時の温度、湿度、光及び音のような睡眠環境はもとより、寝具としても快適性が要求される。この寝具の快適性としては、正しい寝姿勢が得られる体圧分散性が良いこと（静的寝心地）が必要であると共に、寝返りしやすいこと（動的寝心地）が必要である。寝返りは良質な睡眠にとって不可欠である。寝返りにより、寝ている間の体温を一定に保ち、筋肉を動かすことによる血液の循環を促し、寝床内温度を理想的に保ち、吸湿性及び放湿性を向上させることができる。また、寝返りには、昼間たまった姿勢の歪みを矯正する効果もある。よって、レム睡眠中には、人間は頻繁に寝返りをうっている。
【０００７】
この場合に、寝返りにより、人間の身体に衝撃が生じるが、マットレスがその衝撃で覚醒させてしまうようなものであると、良質な睡眠を得ることができない。従って、動的寝心地が良いマットレスとは、寝返りがしやすく、また、寝返りにより、目が覚めにくいものである。このためには、マットレスはその寝ている人間にとって、硬すぎても、軟らかすぎてもいけない。硬すぎると、寝返りの衝撃により、覚醒しやすく、軟らかすぎると、身体がマットレスに埋まり込んでしまい、寝返りしにくい。
【０００８】
しかしながら、前述の如く、人間の体格及び体型は千差万別であり、前述の標準的な分割ミドルレイヤーの組み合わせでは、上述の良質な睡眠を得ることができない場合が多い。
【０００９】
本発明はかかる問題点に鑑みてなされたものであって、マットレス使用者の体格及び体型等の各人の特徴に合わせて最適なクッション性を有するマットレスを製造することができ、使用者各人に容易にカスタマイズすることができ、使用者に確実に良質の睡眠をもたらすことができるマットレスの製造方法を提供することを目的とする。
【課題を解決するための手段】
【００１０】
本発明に係るマットレスの製造方法は、ボトムレイヤー上に配列された複数個の分割ミドルレイヤーと、これらの分割ミドルレイヤー上からその全体を嵌合するトップレイヤーと、このトップレイヤー上に設けられ圧力の面内分布を測定するセンサとを有する試験マットレス上に、マットレス使用予定者を寝かせて前記センサにより圧力分布を測定する工程と、この測定結果に基づき前記マットレス使用予定者の体圧分散性を求め、この体圧分散性が適正範囲ではない場合に、前記分割ミドルレイヤーのうち１又は複数個の分割ミドルレイヤーを硬さが異なるものに変更して再度圧力分布を測定する工程と、を有し、前記体圧分散性が適正範囲に入るまで前記再度圧力分布を測定する工程を繰り返して適正な分割ミドルレイヤーの組み合わせを求め、これにより前記マットレス使用予定者にカスタマイズされたマットレスを製造することを特徴とする。
【００１１】
このマットレスの製造方法において、前記分割ミドルレイヤーは、例えば、少なくとも、前記試験マットレス上に寝たマットレス使用予定者の肩部、腰部及び臀部に夫々独立して配置されるものである。そして、前記体圧分散性の適正範囲は、体にかかる最大圧力が５０ｍｍＨｇ以下であること、ランバー深さが１３乃至３０ｍｍであること、及び肩部の沈み込み量が臀部の沈み込み量以下であることの３条件を満足することである。
【００１２】
また、本発明のマットレスの製造方法において、例えば、前記体圧分散性は、前記圧力分布の測定結果を最大沈み込み量又は最小沈み込み量に変換したものを判断基準の一つとし、前記圧力から沈み込み量への変換は、直径がＤ１、Ｄ２、Ｄ３（Ｄ１＜Ｄ２＜Ｄ３）の３種類の大きさの加圧円板により各分割ミドルレイヤーを加圧して、夫々圧力−たわみ特性を求めておき、前記圧力分布の測定結果から、直径がＤ１、Ｄ２、Ｄ３の同心円領域における最小円内の第１領域内の圧力Ｐ１、中間円から最小円を除いたリング状の第２領域内の圧力Ｐ２、最大円から中間円を除いたリング状の第３領域内の圧力Ｐ３を求め、前記圧力分布を測定した分割ミドルレイヤーについてのＤ１乃至Ｄ３の加圧円板により求めた圧力−たわみ特性曲線から夫々圧力Ｐ１乃至Ｐ３に対応する沈み込み量Ｘ１乃至Ｘ３を求め、前記最大沈み込み量はＸ１＋Ｘ２＋Ｘ３とし、最小沈み込み量はＸ３−Ｘ２−Ｘ１とするものであり、肩部及び臀部の沈み込み量は最大沈み込み量、腰部の沈み込み量は最小沈み込み量により判断することを特徴とする。
【００１３】
これらの場合において、前記体圧分散性が適正範囲に入った後、前記マットレス使用予定者の好みに応じて前記分割ミドルレイヤーの硬さを変更して、体圧分散性を再確認することが好ましい。
【００１４】
また、本発明に係る他のマットレスの製造方法は、マットレスの表面上に圧力の面内分布を測定するセンサを配置し、その上にマットレス使用予定者を寝かせて前記センサにより圧力分布を測定する工程と、この測定結果に基づき前記マットレス使用予定者の体圧分布とマットレスの沈み込み形状からなる体圧分散性を求め、この体圧分散性が適正であるか否かを評価する工程とを有し、この体圧分散性が適正範囲に入るまで、前記圧力分布の測定及び体圧分散性の評価を繰り返し、前記マットレス使用予定者にとって適切なマットレスを選定することを特徴とする。
【発明の効果】
【００１５】
本発明によれば、顧客の体型及び体格に応じて、最適な静的及び動的寝心地を得ることができるマットレスを迅速に設計し、製造販売することができ、顧客毎にカスタマイズされ、良質な睡眠を得ることができて顧客満足度が高いマットレスを製造することができる。
【発明を実施するための最良の形態】
【００１６】
以下、本発明の実施の形態について、添付の図面を参照して具体的に説明する。図１は本発明の第１実施形態に係るマットレスの製造方法におけるカスタマイズ手順を示す図（コンピュータの表示装置の画面）である。図２は体圧分散性の評価方法を示す図である。図３は試験マットレスの構成を示す分解図、図４はシート状センサを示す図である。図３に示すように、試験マットレス１０はポリエステル繊維等からなるボトム層１１上に、例えば７個のウレタンフォーム等からなる分割ミドルレイヤー１２（１２ａ乃至１２ｇ）がマットレス長手方向に配列されている。また、これらの分割ミドルレイヤー１２及びボトム層１１を囲むようにして、底なし箱状のトップ層１３が嵌合されている。このトップ層１３は上面とこの上面の４縁から下方に延びる４側面とから構成されるが、上面は中間層である分割ミドルレイヤー１２と同様のウレタンフォーム等からなり、４側面はウレタンフォームであるが、その硬さは上面よりも硬い。トップ層１３の４側面は７個の分割ミドルレイヤー１２（１２ａ乃至１２ｇ）を固定するものであるので、比較的強度が高く、硬い素材により構成されている。更に、このトップ層１３上にシート状センサ１４が載置されている。シート状センサ１４は少なくとも肩部、腰部及び臀部の圧力分布を測定できる大きさを有し、分解能は例えば１７ｍｍである。そして、このシート状センサ１４は１面の全てのドットを例えば５０ｍｓｅｃで測定することができるものである。
【００１７】
分割ミドルレイヤー１２（１２ａ乃至１２ｇ）については、硬さが、例えば、「硬い」、「普通」「軟らかい」という例えば３種類の材料を用意し、これらの硬さが異なる分割ミドルレイヤーについて、夫々、ボトムレイヤー上に分割ミドルレイヤーを載置し、更にトップレイヤーを嵌合した状態で、マットレス全体の圧力−たわみ特性を測定しておく。図５はこの圧力−たわみ特性の測定装置を示し、図６はこの測定試験で使用する加圧板を示し、図７はこれらの加圧板による圧力測定領域を示す図である。測定装置２０の加圧ロッドの先端に図６に示す加圧板２１（２１ａ、２１ｂ、２１ｃ）を取付け、この加圧板２１によりマットレス全体を加圧してそのたわみ量を測定する。加圧板２１は例えば直径が２００ｍｍの加圧板２１ａ（曲線φ２００）と、直径が９８ｍｍの加圧板２１ｂ（曲線φ９８）と、直径が３０ｍｍの加圧板２１ｃ（曲線φ３０）とからなる。なお、φは曲率半径（ｍｍ）を示す。
【００１８】
そして、各加圧板２１を使用して測定装置２０によりマットレス全体を押圧した場合の圧力−たわみ曲線の一例を、図８及び図９に示す。そして、図７に示すように、シート状センサ１４により測定された圧力分布において、外径が２００ｍｍ、内径が９８ｍｍのリング状の領域（大径リング状領域）、外径が９８ｍｍ、内径が３０ｍｍのリング状の領域（小径リング状領域）、直径が３０ｍｍの円形の領域（円形領域）とに区画し、Ｐ２００を大径リング状領域の圧力、Ｐ９８を小径リング状領域の圧力、Ｐ３０を円形領域の圧力とすると、大径リング状領域の沈み込み量Ｄ２００は図８及び図９に示すように、Ｐ２００の位置における曲線φ２００の値から求まる。
【００１９】
そして、最大沈み込み量は、中心部の円形領域が最も圧力が高く、小径リング状領域及び大径リング状領域の順に圧力が減少する場合の中心部の沈み込み量である。この最大沈み込み量を求める場合、図８に示すように、小径リング状領域のみの沈み込み量Ｄ９８は大径リング状領域に対する小径リング状領域の相対的な圧力Ｐ９８−Ｐ２００（大径リング状領域に対する小径リング状領域の圧力の増分）に基づき、φ９８の曲線を使用して求まる。また、円形領域のみの沈み込み量Ｄ３０は小径リング状領域に対する相対的な圧力Ｐ３０−Ｐ９８（小径リング状領域に対する円形領域の圧力の増分）に基づき、φ３０の曲線を使用して求まる。そして、最大沈み込み量Ｄｍａｘは、Ｄ２００＋Ｄ９８＋Ｄ３０として求まる。
【００２０】
一方、最小沈み込み量は、中心部の円形領域が最も圧力が低く、小径リング状領域及び大径リング状領域の順に圧力が増大する場合の中心部の沈み込み量である。最小沈み込み量を求める場合、図９に示すように、大径リング状領域の沈み込み量Ｄ２００に対し、Ｐ２００−Ｐ９８に基づく沈み込み量の減少分Ｄ９８を曲線φ９８から求め、Ｐ９８−Ｐ３０に基づく沈み込み量の減少分Ｄ３０を曲線φ３０から求めて、差し引くことにより求まる。従って、最小沈み込み量Ｄｍｉｎは、Ｄ２００−Ｄ９８−Ｄ３０として求まる。
【００２１】
そして、肩部及び臀部は、それが当たっている部分が最も深く沈み込むので（当たっている部分の中心部が最も圧力が高いので）、最大沈み込み量Ｄｍａｘを基準としてクッション性を評価する。一方、腰部は肩部と臀部の中間でそれに相当する部分は肩部及び臀部よりも圧力が小さく、沈み込み量が浅いので、最小沈み込み量Ｄｍｉｎによりクッション性を評価する。
【００２２】
図２の体圧分布データは、シート状センサ１４により測定された被験者の圧力の分布である。この圧力分布から、直径２００ｍｍ、９８ｍｍ、３０ｍｍの同心円でスキャンして図８及び図９に示す圧力−たわみ特性から最大沈み込み量Ｄｍａｘ及び最小沈み込み量Ｄｍｉｎを求める。この体圧分布データは図示例では３分割されていて、上部の体圧分布データは肩部に相当する分割ミドルレイヤー１２ｂから採取されたデータであり、中間部の体圧分布データは腰部に相当する分割ミドルレイヤー１２ｃから採取されたデータであり、下部の体圧分布データは臀部に相当する分割ミドルレイヤー１２ｄから採取されたデータである。そして、肩部については、上部データを同心円でスキャンして、例えば、その中の中心の円形領域（３０ｍｍφ）の圧力が最大となる位置で、圧力Ｐ２００，Ｐ９８，Ｐ３０を測定し、最大沈み込み量を、上述のようにして図８に基づいて算出する。また、臀部については、下部データを同心円でスキャンして、例えば、その中の小径リング状領域（９８ｍｍφ−３０ｍｍφ）の最大圧力点で、圧力Ｐ２００，Ｐ９８，Ｐ３０を測定し、最大沈み込み量を、上述のようにして図８に基づいて算出する。更に、腰部については、中間部データを同心円でスキャンして、例えば、その中の大径リング状領域（２００ｍｍφ−９８ｍｍφ）の最小圧力点で、圧力Ｐ２００，Ｐ９８，Ｐ３０を測定し、最小沈み込み量を、上述のようにして図９に基づいて算出する。
【００２３】
図２の右側の図に示されているように、肩部の最大沈み込み量と臀部の最大沈み込み量とが一致している場合は、寝姿勢において、体の傾きは水平になる。一方、肩部の最大沈み込み量の方が臀部の最大沈み込み量より大きい場合は、寝姿勢において、体は頭部の方が下になって傾斜する。更に、肩部の最大沈み込み量の方が臀部の最大沈み込み量より小さい場合は、寝姿勢において、体は頭部の方が上になって傾斜する。
【００２４】
また、肩部の最大沈み込み量と臀部の最大沈み込み量とから、そのマットレスにおける肩部及び臀部の位置を求めてそれらを線分で結び、腰部の最小沈み込み量からマットレスにおける腰部の位置を求め、この腰部の位置から前記線分に対して垂線を引き、この垂線の長さをランバー深さとする。
【００２５】
次に、顧客の体格及び体型に応じて、マットレスをカスタマイズする手順について説明する。マットレスのショウルーム又は販売店等に顧客が来店した場合、図３の体圧測定用マットレスに仰向けに横たわってもらう。このとき、最初は、体圧分散されていないときの体圧分布を測定するために、最も硬いマットレスとして、１枚の硬いマットレスを敷き、体圧分散ができていない状態で体圧分布データを採取する。図１の左図はこの比較用の１枚の硬いマットレスを使用したときの体圧分布データである。なお、最初から、推薦される標準的な硬さの組み合わせで分割ミドルレイヤーを用意し、その体圧分布データを測定してもよい。
【００２６】
次に、「硬い」、「普通」及び「軟らかい」の標準的な組み合わせで分割ミドルレイヤー１２を組み合わせ、即ち、分割ミドルレイヤー１２を標準的な組み合わせのものに差し替え、再度顧客に横たわってもらう。この標準的な組み合わせは、例えば、全て「普通」でもよい。そして、再度体圧分布データを採取し、この体圧分布データから、上述のようにして、最大沈み込み量及び最小沈み込み量から、寝姿勢における体の傾きとランバー深さとを求める。図１の中間の図が、得られた体圧分布データである。なお、この標準的な組み合わせで得られたデータから、最適配列をコンピュータ上で予測することも可能である。
【００２７】
この体の傾きは、頭部の方が下になった場合及び頭部の方が上でも所定角度を超えて傾いた場合は体の傾きが異常であり、体が水平又は頭部が上で傾き角度が所定角度以下の場合は体の傾きが正常であると判断する。体が水平か、又は肩部の沈み込み量の方が臀部の沈み込み量より小さくて頭部が高い方が、寝ている間に、頭部に血が昇らず、気道の圧迫が抑制されるからである。この寝姿勢における体の傾きが正常であるか否かが図１に示すようにコンピュータの表示装置に表示される。
【００２８】
また、ランバー深さも画面上に表示される。ランバー深さは１３乃至３０ｍｍとなることが好ましい。この範囲から外れると、寝姿勢に起因して腰痛等が発生する虞がある。
【００２９】
更に、表示装置の画面上には、最大圧力も表示される。この最大圧力は５０ｍｍＨｇ以下であることが好ましい。これを超えると、長時間寝た場合に、皮膚等が耐えられなくなる虞がある。
【００３０】
なお、体圧分散性は、前述の如く、体圧分布と、マットレスの沈み込み形状とから評価される。体圧分布としては、例えば、前述の如く、体にかかる最大圧力が５０ｍｍＨｇ以下である場合に良好と判断される。また、マットレスの沈み込み形状としては、例えば、前述の如く、肩部の沈み込み量が臀部の沈み込み量以下である場合、及びランバー深さは１３乃至３０ｍｍである場合に、良好と判断される。更に、体とマットレスとの接触面積も適正な範囲がある。つまり、圧力が０である領域は非接触領域、圧力が０でない領域は接触領域であると判断されるが、この接触領域にも適正範囲がある。また、全身の骨格形状もマットレスの沈み込み形状の評価の対象となる。例えば、頭から踵までの全身を測定したときに、頭が低くなっている場合、腰及び肩部だけが沈み込んでいる場合、又は足と頭だけが沈み込んでいて腰が反り返っている場合等の寝姿勢においては、全身の骨格形状が異常になっていると判断される。更に、左右の沈み込み量の違い（左右のアンバランス）が例えば１０ｍｍを超えるような場合には、寝姿勢に異常があると判断される。更にまた、圧力分布においては、例えば、肩の骨のような突部がある部分で圧力分布が高くなる山形状がみられるが、この山の傾きが所定のしきい値以下であれば、骨だけではなく、肉の部分も加わって体を支えていることになる。以上のように、体圧分布及び沈み込み形状から、寝ているときの種々の状態を把握することができる。
【００３１】
なお、画面において、体圧分布データの右側に示された縦に延びる帯は、７分割された個々の分割ミドルレイヤーを表示しており、頭部側から２番目乃至４番目の肩部、腰部及び臀部の３個の分割ミドルレイヤーが選択され、その部分の体圧分布データが表示されていることが示されている。この選択された帯の位置を変えることにより、頭部又は上腿部等の別の位置の体圧分布が表示される。
【００３２】
このようにして、体圧分布データからランバー深さ、体の傾き及び最大圧力をチェックし、それらが適正範囲に入るものか否かが判定される。もし、いずれかの項目が適正範囲から外れる場合は、分割ミドルレイヤー１２の硬さの配列を変更する。そして、ランバー深さ、体の傾き及び最大圧力が適正範囲に入るまで、分割ミドルレイヤーの交換及び体圧分布測定を繰り返す。なお、ランバー深さの調節は、例えば、臀部の最大沈み込み量を変更することにより、行うことができる。
【００３３】
図１の右側の図は、この適正範囲の状態から、顧客の好みに応じて、顧客の指定する部分の分割ミドルレイヤーを硬い方に又は軟らかい方に変更した後の体圧分布データである。この場合も、ランバー深さ、体の傾き及び最大圧力を求め、画面上に表示して、これらが適正範囲に入っていることを確認する。
【００３４】
以上のようにして、来店した顧客に対し、試験マットレス上に横たわってもらうだけで、迅速に、最適な寝姿勢、体圧分散及び寝返りを得ることができて、静的寝心地及び動的寝心値が優れたマットレスを設計することができ、このデータに基づいて、分割ミドルレイヤーを組み合わせることにより、顧客（マットレス使用者）毎に最適にカスタマイズされたマットレスを製造し、販売することができる。
【００３５】
以上のようにして、体圧分布データから体圧分散性が優れ、使用者の好みも考慮したマットレスを迅速に且つ簡便に製造することができる。この場合に、体圧分布データを経時的にサンプリングし、このサンプリング期間中、使用者に寝返りを打ってもらうことにより、寝返り時の体圧分布データを採取することができる。そして、各サンプリングデータについて、体圧分散性を求め、異常に最大圧力が高い箇所等を見つけることにより、寝返りのしやすさ、つまり、動的寝心地を判断することができる。なお、サンプリング間隔は例えば２Ｈｚであり、５秒間継続してサンプリングすることにより、１０フレーム分の体圧分布データを得ることができる。
【００３６】
なお、上記実施形態はランバー深さ、体の傾き、最大圧力を基準に最適なマットレスを設計したが、本発明はこれに限らず、種々の基準を採用して最適マットレスを設計することができる。本発明の特徴は、マットレス使用者（顧客）の体格及び体型に応じて、体圧分布データを採取し、これに基づいてマットレス使用者にカスタマイズされたマットレスを製造することを特徴とするものであり、本発明の特許請求の範囲内において、その構成を種々変更することができる。
【００３７】
例えば、分割ミドルレイヤーを使用せず、弾力性及び厚さ等が種々異なる複数種のマットレス（分割ではない）を用意し、体圧分散性を同様にして求めることにより、最適なマットレスを選択するようにしてもよい。この場合も、圧力分布の測定によりマットレス使用予定者の体圧分布とマットレスの沈み込み形状からなる体圧分散性を求め、この体圧分散性が適正範囲に入るまで、マットレスの交換と圧力分布の測定とを繰り返せばよい。
【図面の簡単な説明】
【００３８】
【図１】本発明の実施形態において、顧客に応じてカスタマイズする手順を示す表示装置の画面である。
【図２】体圧分布データから、最大及び最小沈み込み量を求め、ランバー深さを求める方法を示す図である。
【図３】本発明の実施形態にて使用する測定用マットレスを示す図である。
【図４】シート状センサを示す図である。
【図５】圧力−たわみ特性の測定装置を示す図である。
【図６】同じくその加圧板を示す図である。
【図７】同じく圧力値Ｐ２００，Ｐ９８，Ｐ３０の取り方を示す図である。
【図８】圧力−たわみ特性を示す曲線から、最大沈み込み量を求める方法を示すグラフ図である。
【図９】圧力−たわみ特性を示す曲線から、最小沈み込み量を求める方法を示すグラフ図である。
【図１０】マットレスの構造を示す断面図である。
【符号の説明】
【００３９】
１０：マットレス
１１：ボトム層
１２（１２ａ乃至１２ｇ）：分割ミドルレイヤー
１３：トップ層
１４：シート状センサ
２０；測定装置
２１（２１ａ乃至２１ｃ）；加圧板
【図１】
2005000641.tif 000003
【図２】
2005000641.tif 000004
【図３】
2005000641.tif 000005
【図４】
2005000641.tif 000006
【図５】
2005000641.tif 000007
【図６】
2005000641.tif 000008
【図７】
2005000641.tif 000009
【図８】
2005000641.tif 000010
【図９】
2005000641.tif 000011
【図１０】
2005000641.tif 000012